(57)【要約】【課題】像担持体へのクリーニングブレードの押圧力を下げ、密着性を上げてシール性を向上させ、省スペース化を図り、トナー飛散に対する信頼性を向上させる。【解決手段】感光体８へのクリーニングブレード３１の当接圧の変化に対する影響を抑え、クリーニングブレード３１の支持部材４３と、これを取り付けるフレーム４２との間にシート材４１を挟んで、トナー飛散を防止するシールとする。このことで感光体８へのクリーニングブレード３１の当接圧の変化に対する影響を抑え、シート材４１による弾性力でシート材３１自体の押圧力を下げ、密着性を上げることでシール性を向上させ、発泡体部材４０とシート材４１の２種類を使用し、発泡部材４０の厚み寸法のバラツキによる感光体８へのクリーニングブレード３１の当接圧の変化に対する影響を抑え、密着性を上げる。【選択図】図３
2011059200.tif 000002
【特許請求の範囲】
【請求項１】
像担持体と、転写終了後に該像担持体上の転写残トナー等を除去するためのクリーニング用弾性体ブレードを備え、該クリーニング用弾性体ブレードを支持するブレード支持部材と該クリーニング用弾性体ブレードを取り付けるフレームとの間にシート材を挟んでトナー飛散防止シール手段としてなることを特徴とするクリーニング装置。
【請求項２】
請求項１のクリーニング装置において、前記トナー飛散防止シール手段がさらに発泡部材を備え、該発泡部材は前記ブレード支持部材と前記フレームとの間に挟まない配置としてなることを特徴とするクリーニング装置。
【請求項３】
請求項２のクリーニング装置において、該発泡部材を前記ブレード支持部材と前記フレームに接触させない配置としてなることを特徴とするクリーニング装置。
【請求項４】
請求項２のクリーニング装置において、前記発泡部材を前記フレームに固定してなることを特徴とするクリーニング装置。
【請求項５】
請求項２のクリーニング装置において、前記発泡部材を前記シート材に固定してなることを特徴とするクリーニング装置。
【請求項６】
請求項１のクリーニング装置において、前記ブレード支持部材の固定部が該ネジ止め部端部のネジ止め部であり、該ネジ止め部にはシート材が存在しないようにネジ止め部で前記ブレード支持部材の端部を固定することを特徴とするクリーニング装置。
【請求項７】
像担持体と、転写終了後に該像担持体上の転写残トナー等を除去するためのクリーニング用弾性体ブレードを備え、該クリーニング用弾性体ブレードと該クリーニング用弾性体ブレードを取り付けるフレームとの間にトナー飛散防止シール手段を備え、
該トナー飛散防止シール手段が、発泡体部材とシート状部材の２種類の部材からなることを特徴とするクリーニング装置。
【請求項８】
請求項７のクリーニング装置において、
前記シート状部材の材質がポリウレタンゴムであることを特徴とするクリーニング装置。
【請求項９】
請求項７のクリーニング装置において、
前記発泡部材としてスポンジを用い、
該スポンジが、エーテル系ウレタンフォームであることを特徴とするクリーニング装置。
【請求項１０】
請求項７のクリーニング装置において、
前記クリーニング用弾性体ブレードの像担持体回転下流側に、前記像担持体表面を保護するための潤滑剤を削り、
前記像担持体に潤滑剤を塗布するためのブラシローラ、該ブラシローラにより塗布される潤滑剤、前記ブラシローラが前記像担持体に塗布した潤滑剤粉を該像担持体に定着するための塗布用弾性体ブレードを備え、
前記塗布用弾性体ブレードと前記塗布用弾性体ブレードを固定するためのフレームとの間からのトナー飛散防止を前記発泡体部材とシート状部材の２種類の部材からなるトナー飛散防止シール手段を用いたことを特徴とするクリーニング装置。
【請求項１１】
請求項１から１０のいずれかに記載のクリーニング装置を有することを特徴とするプロセスカートリッジ。
【請求項１２】
請求項１から１０のいずれかに記載のクリーニング装置または請求項１１に記載の該プロセスカートリッジを有することを特徴とする画像形成装置。
【請求項１３】
請求項１から１０のいずれかのクリーニング装置を備えたことを特徴とする画像形成装置。
【請求項１４】
請求項１２または１３の画像形成装置は、複写機、ファクシミリ、プリンタ、印刷機又はインクジェット記録装置の何れか一つ、またはそれらの少なくとも二つの機能を組み合わせた複合機であることを特徴とする画像形成装置。
【発明の詳細な説明】
【技術分野】
【０００１】
本発明は、複写機、プリンタ、ファクシミリ、またはそれらの複合機などの画像形成装置に関する。
【背景技術】
【０００２】
帯電・書込み・現像・転写・クリーニングなどを繰り返して感光体上にトナー像を形成し、そのトナー像を直接転写し、または中間転写体を介して間接的に転写して、転写紙・ＯＨＰフィルム等の転写シートに記録を行う電子写真式の画像形成装置では、トナー飛散を防止するためにシール部材を用いる方法が、幅広く利用されている技術の一つである。
【０００３】
特許文献１においては、トナー回収容器とクリーニングブレード支持部からトナー飛散を防止するトナー飛散を防止する可撓性を有するシートからなるトナー飛散防止手段を用いた方法が開示されている。しかし、この技術では、可撓性を有するシートのみで対応しているため、圧の調整が困難である。
【０００４】
また特許文献２では、入口シールに張力を与え、トナー飛散を防ぐ方法を開示しているが、この方法では、構成が複雑でコストアップとなる。
【発明の概要】
【発明が解決しようとする課題】
【０００５】
このような問題点に対し、特許文献１、２ではクリーニング性に関して改良を施し、搬送スクリューを覆うケーシングの壁面に生じるトナー溜りやトナー固着の発生を防ごうとしているが、隙間が存在したり、掻き取る力が弱く、トナー搬送不良の不具合の発生を期待通り防げるには至っていなかった。
【０００６】
そこで本発明は、従来の諸問題を解決するものであり、トナー飛散を防止するシールとして、発泡体部材とシート状部材の２種類を使用することで信頼性を向上させ、安定した品質を長期に渡り維持することを目的としている。
【課題を解決するための手段】
【０００７】
本発明のクリーニング装置のうち請求項１に係るものは、像担持体と、転写終了後に該像担持体上の転写残トナー等を除去するためのクリーニング用弾性体ブレードを備え、該クリーニング用弾性体ブレードを支持するブレード支持部材と該クリーニング用弾性体ブレードを取り付けるフレームとの間にシート材を挟んでトナー飛散防止シール手段としてなることを特徴とする。
【０００８】
請求項２に係るものは、請求項１のクリーニング装置において、前記トナー飛散防止シール手段がさらに発泡部材を備え、該発泡部材は前記ブレード支持部材と前記フレームとの間に挟まない配置としてなることを特徴とする。
【０００９】
請求項３に係るものは、請求項２のクリーニング装置において、該発泡部材を前記ブレード支持部材と前記フレームに接触させない配置としてなることを特徴とする。
【００１０】
請求項４に係るものは、請求項２のクリーニング装置において、前記発泡部材を前記フレームに固定してなることを特徴とする。
【００１１】
請求項５に係るものは、請求項２のクリーニング装置において、前記発泡部材を前記シート材に固定してなることを特徴とする。
【００１２】
請求項６に係るものは、請求項１のクリーニング装置において、前記ブレード支持部材の固定部が該ネジ止め部端部のネジ止め部であり、該ネジ止め部にはシート材が存在しないようにネジ止め部で前記ブレード支持部材の端部を固定することを特徴とする。
【００１３】
また本発明のクリーニング装置のうち請求項７に係るものは、像担持体と、転写終了後に該像担持体上の転写残トナー等を除去するためのクリーニング用弾性体ブレードを備え、該クリーニング用弾性体ブレードと該クリーニング用弾性体ブレードを取り付けるフレームとの間にトナー飛散防止シール手段を備え、該トナー飛散防止シール手段が、発泡体部材とシート状部材の２種類の部材からなることを特徴とする。
【００１４】
請求項８に係るものは、請求項７のクリーニング装置において、前記シート状部材の材質がポリウレタンゴムであることを特徴とする。
【００１５】
請求項９に係るものは、請求項７のクリーニング装置において、前記発泡部材としてスポンジを用い、該スポンジが、エーテル系ウレタンフォームであることを特徴とする。
【００１６】
請求項１０に係るものは、請求項７のクリーニング装置において、前記クリーニング用弾性体ブレードの像担持体回転下流側に、前記像担持体表面を保護するための潤滑剤を削り、前記像担持体に潤滑剤を塗布するためのブラシローラ、該ブラシローラにより塗布される潤滑剤、前記ブラシローラが前記像担持体に塗布した潤滑剤粉を該像担持体に定着するための塗布用弾性体ブレードを備え、前記塗布用弾性体ブレードと前記塗布用弾性体ブレードを固定するためのフレームとの間からのトナー飛散防止を前記発泡体部材とシート状部材の２種類の部材からなるトナー飛散防止シール手段を用いたことを特徴とする。
【００１７】
請求項１１に係るプロセスカートリッジは、請求項１から１０のいずれかに記載のクリーニング装置を有することを特徴とする。
【００１８】
請求項１２に係る画像読取装置は、請求項１から１０のいずれかに記載のクリーニング装置または請求項１１に記載の該プロセスカートリッジを有することを特徴とする。
【００１９】
請求項１３に係るものは、請求項１から１０のいずれかのクリーニング装置を備えたことを特徴とする。
【００２０】
請求項１４に係る画像形成装置は、請求項１２または１３の画像形成装置は、複写機、ファクシミリ、プリンタ、印刷機又はインクジェット記録装置の何れか一つ、またはそれらの少なくとも二つの機能を組み合わせた複合機であることを特徴とする。
【発明の効果】
【００２１】
本発明では、クリーニングブレードの支持部材と支持部材を取り付けるフレームとの間にシート材を挟んで、トナー飛散を防止するシールとすることで、像担持体へのクリーニングブレードの当接圧の変化に対する影響を抑え、シートによるシート部材の弾性力でシート自体の弾性体ブレードへの押圧力を下げ、密着性を上げることでシール性を向上させ、省スペース化を図ることで、トナー飛散に対する信頼性を向上させ、安定した品質を長期に渡り維持することができる。
【００２２】
また本発明は、発泡体部材とシート状部材の２種類を使用し、発泡部材の厚み寸法のバラツキによる像担持体への弾性体ブレードの当接圧の変化に対する影響を抑え、シート部材の弾性力でシート自体の弾性体ブレードへの押圧力を下げ、密着性を上げることでシール性を向上させ、省スペース化を図り、トナー飛散に対する信頼性を向上させ、これによっても安定した品質を長期に渡り維持することができる。
【図面の簡単な説明】
【００２３】
【図１】画像形成装置であるカラープリンタを概略的に示す縦断側面図
【図２】図１のような装置の本体ケースに設けられている側面カバーを開放した状態を示す斜視図
【図３】本発明に係るクリーニング装置の一実施例の断面図
【図４】本発明に係るクリーニング装置の他の実施例の断面図
【図５】図４の実施例の変形例を示す断面図
【図６】図４の実施例の他の変形例を示す断面図
【発明を実施するための形態】
【００２４】
本発明のクリーニング装置は、像担持体と、転写終了後に該像担持体上の転写残トナー等を除去するためのクリーニング用弾性体ブレードを備え、該クリーニング用弾性体ブレードを支持するブレード支持部材と該クリーニング用弾性体ブレードを取り付けるフレームとの間にシート材を挟んでトナー飛散防止シール手段としてなる。
【００２５】
このトナー飛散防止シール手段がさらに発泡部材を備え、該発泡部材は前記ブレード支持部材と前記フレームとの間に挟まない配置する構成とし得る。また発泡部材を前記ブレード支持部材と前記フレームに接触させない配置とすることもできる。また発泡部材を前記フレームに固定してもよい。発泡部材は前記シート材に固定してもよい。
【００２６】
また本発明のクリーニング装置は、ブレード支持部材の固定部が該ネジ止め部端部のネジ止め部であり、該ネジ止め部にはシート材が存在しないようにネジ止め部で前記ブレード支持部材の端部を固定する構成とすることができる。
【００２７】
本発明のクリーニング装置では、クリーニングブレードの支持部材と支持部材を取り付けるフレームとの間にシートを挟んで、トナー飛散を防止する。さらに発泡部材を備え、該発泡部材はブレード支持部材とフレームとの間には挟まないようにすることもできる。また、ブレードとフレームとの間に発泡部材を配置する構成とすることもできるし、発泡部材をフレームに固定し、あるいは発泡部材はシートに固定することもできる。
【００２８】
これらは、トナー飛散防止に対する信頼性向上を図るため、クリーニング用弾性体ブレードとこれを取り付けるフレーム間にシートや発泡体状のシールを貼り付けるのが一般的な手法であり、発泡材を用いる場合には、両部品間の隙間以上の高さの発泡体部材を潰して使用することでトナー飛散を防止している。ただし、発泡体部材の厚み公差が上限の時、クリーニング用弾性体の撓みによる像担持体への当接圧に影響が出ないよう設定する必要がある。発泡体部材からクリーニングブレードが受ける押圧力が増大し、像担持体への当接圧が増すと、像担持体回転トルクの増加、クリーニングブレードの巻き込みが発生する恐れがあるからである。そこで、発泡体部材の厚み交差下限の時、シール性を確保できる設定にする必要がある。潰し量が小さくなると、トナー等が漏れ易くなるからである。また発泡体部材の厚み公差による影響を少なくするため、両部品間の隙間を大きく取る必要がある。構成によっては所望の隙間確保が困難だからである。
【００２９】
そして、トナー飛散を防止するシールとして、発泡体部材とシート状部材の２種類を用いることで上記懸念をなくすことができる。クリーニング用弾性体ブレードとフレーム間の隙間を埋めるのは薄いシート状部材であり、薄いシート状部材を押圧するのは、発泡体部材である。発泡体部材は、クリーニング用弾性体ブレードと接触しないよう設定してあるので厚み公差による影響を受け難い。また、クリーニング用弾性体ブレードとフレーム間の隙間を埋めるのは薄いシート状部材であるため、必要なスペースは発泡部材のみの時と比べて小さくて済む。また、経時の押圧変化によるトナーシール性も発泡部材を潰していないため影響を受け難い。したがって、トナー飛散を防止するシールとして、発泡体部材とシート状部材の２種類を使用することで、信頼性が増し、安定した品質を長期に渡り維持できる。
【００３０】
さらに、ブレード支持部材の固定部（ネジ止め部）にはシート部材が存在しない（固定部が設けられる端部はシートを設けず、固定部間のみにシートを設ける）構成とすることができる。
【００３１】
またさらには、像担持体と、転写終了後、像担持体上の転写残トナー等を除去するためのクリーニング用弾性体ブレードを備え、クリーニング用弾性体ブレードとクリーニング用弾性体ブレードを取り付けるフレームとの間にトナー飛散防止シールを備え、トナー飛散を防止するシールとして、発泡体部材とシート状部材の２種類を用いることもできる。
【００３２】
また前記本発明のクリーニング装置において、シート状部材の材質をポリウレタンゴムとすることができる。これは、トナー飛散防止に対する信頼性を向上させるものであり、弾性体であるため、トナー飛散シールとして用いたときのシート自体のクリーニング用弾性体に対する押圧力をＰＥＴフィルム等に比べ低減できる。また、ＰＥＴフィルムと異なり、密着性が良いことから、トナー飛散を防止する効果が高い。
【００３３】
また前記本発明のクリーニング装置において、発泡部材として用いているスポンジをエーテル系ウレタンフォームとすることができる。トナー飛散防止に対する信頼性の向上のためである。エーテル系ウレタンフォームは、反発弾性が高く、耐水性、耐湿性、耐薬品性に優れているため、安定した品質を長期に渡り維持できる。
【００３４】
さらに前記本発明のクリーニング装置において、クリーニング用弾性体ブレードの像担持体回転下流側に、像担持体表面を保護するための潤滑剤を削り、像担持体に塗布するためのブラシローラ、潤滑剤、ブラシローラが像担持体に塗布した潤滑剤粉を像担持体に定着するための、塗布用弾性体ブレードを備え、塗布用弾性体ブレードと塗布用弾性体ブレードを固定するためのフレームとの間からのトナー飛散防止に発泡体部材とシート状部材の２種類を用いることができる。トナー飛散防止に対する信頼性の向上のためであり、クリーニング用弾性体ブレードに比較して、スペースを確保し難い塗布用弾性体ブレード部に対し、トナー飛散防止として発泡体部材とシート状部材の２種類を用いることで、省スペースをはかることができる。また、潤滑剤粉とトナーの混合粉に対しても問題なく飛散を防止できる。ため、安定した品質を長期に渡り維持できる。
【００３５】
またさらに、前記本発明のクリーニング装置において、前記いずれかに記載のクリーニング装置をプロセスカートリッジに用いることができる。トナー飛散防止に対する信頼性を向上させた長寿命プロセスカートリッジを提供するためであり、トナー飛散を長期に渡り防止することで、トナーが画像形成装置内に飛散することで発生する不具合を防止し、安定した性能を長期に渡たり維持可能なプロセスカートリッジを提供することができる。
【００３６】
またさらに、前記本発明のクリーニング装置において、前記クリーニング装置のいずれかまたは前記プロセスカートリッジを画像形成装置に用いることができる。メンテナンスが容易な長寿命の画像形成装置が提供でき、トナー飛散を長期に渡り防止することで、トナーが画像形成装置内に飛散することで発生する不具合を防止し、安定した性能を長期に渡たり維持可能になる。
【実施例１】
【００３７】
以下に本発明の実施例を図面を参照して説明する。
【００３８】
本発明の実施形態を図１に基づいて説明する。図１は画像形成装置であるカラープリンタを概略的に示す縦断側面図である。カラープリンタ１の本体ケース２内には、プリンタエンジン３、光ビームを出射する光書込装置４、被転写体である記録媒体Ｐを収納する記録媒体収納部である給紙カセット５、トナー画像が転写された記録媒体Ｐを定着処理する定着装置６、トナー画像を転写した後に発生した廃トナーを回収する廃トナー回収容器７等が設けられている。
【００３９】
プリンタエンジン３は、トナー画像を形成し、形成したトナー画像を記録媒体Ｐに転写する部分であり、像担持体である４つの感光体８（８Ｙ、８Ｃ、８Ｍ、８Ｋ）、各感光体８の周囲に配置された帯電装置である帯電ローラ９、現像装置１０、クリーニング装置１１、一次転写ローラ１２、像担持体及び被転写体である中間転写ベルト１３、転写装置である二次転写ローラ１４、クリーニング装置１５等により構成されている。ここで、本明細書及び図面の記載において、Ｙ、Ｃ、Ｍ、Ｋの添え字は、各々イエロー、シアン、マゼンタ、ブラックの色を示しており、これらの添え字は必要に応じて割愛する。
【００４０】
感光体８は、円筒状に形成されて駆動モータ（図示せず）が連結され、駆動モータからの駆動力により中心線回りに回転する。感光体８の外周面には静電潜像が形成される感光層が設けられている。帯電ローラ９は、感光体８の外周面に当接して配置され、又は、感光体８の外周面と微小な隙間をもって配置されている。この帯電ローラ９に対して電源部（図示せず）から電圧が印加されることにより、帯電ローラ９と感光体８との間でコロナ放電が発生し、感光体８の外周面が一様に帯電される。
【００４１】
光書込装置４は、画像データに応じた光ビームを出射し、一様に帯電された感光体８の外周面を露光する。この露光により、感光体８の外周面に画像データに応じた静電潜像が形成される。
【００４２】
現像装置１０は、感光体８に対してトナーを供給する。供給されたトナーは感光体８の外周面に形成されている静電潜像に付着し、感光体８の外周面上の静電潜像がトナー画像として顕像化される。
【００４３】
中間転写ベルト１３は、樹脂フィルム又はゴムを基体として形成されたループ状のベルトであり、駆動ローラ１６と入口ローラ１７とテンションローラ１８との回りに巻回され、駆動モータ（図示せず）に連結された駆動ローラ１６が回転駆動されることにより矢印Ａ方向に回転する。入口ローラ１７とテンションローラ１８とは、中間転写ベルト１３が矢印Ａ方向へ回転することにより中間転写ベルト１３との摩擦力によって従動回転する。
【００４４】
一次転写ローラ１２は中間転写ベルト１３の内周面側（ループの内側）に配置されており、これらの一次転写ローラ１２に転写用電圧が印加されることによって各感光体８上のトナー画像が中間転写ベルト１３上に転写される。各感光体８上に形成されたトナー画像は中間転写ベルト１３上に順次転写されて重ね合わされ、中間転写ベルト１３上にはカラーのトナー画像が形成される。
【００４５】
クリーニング装置１１は、トナー画像が中間転写ベルト１３に転写された後の感光体８の外周面をクリーニングする。このクリーニングによって、トナー画像が中間転写ベルト１３に転写された後に感光体８の外周面上に残留しているトナーや紙粉等が廃トナーとして回収される。
【００４６】
中間転写ベルト１３上に形成されたカラーのトナー画像は、中間転写ベルト１３と二次転写ローラ１４とが当接された転写位置に記録媒体Ｐが送り込まれたタイミングで二次転写ローラ１４に転写用電圧が印加されることにより、記録媒体Ｐに転写される。記録媒体Ｐは、給紙カセット５内から給紙されて搬送ローラ１９やレジストローラ２０により搬送され、トナー画像を転写された後に定着装置６に送り込まれる。トナー画像が転写された記録媒体Ｐは定着装置６内で熱と圧力とを加えられて定着処理され、この定着処理により溶融したトナー画像が記録媒体Ｐに定着される。定着処理が終了した記録媒体Ｐは本体ケース２の上面部に形成されている排紙トレイ２１上に排紙される。
【００４７】
クリーニング装置１５は、カラーのトナー画像が記録媒体Ｐに転写された後の中間転写ベルト１３の外周面をクリーニングする。このクリーニングによって、トナー画像の転写後に中間転写ベルト１３の外周面上に残留したトナーや紙粉等が廃トナーとして回収される。廃トナー回収容器７は、クリーニング装置１１、１５で回収された廃トナーがクリーニング装置１１、１５から投入され、投入された廃トナーを貯溜する部分である。廃トナー回収容器７は本体ケース２に対して着脱可能に取り付けられており、廃トナー回収容器７内の廃トナーが満杯状態に近付いた場合に本体ケース２から取り外され、空の廃トナー回収容器７が取り付けられる。
【００４８】
プリンタエンジン３の構成部材である感光体８と、各感光体８の周囲に配置された帯電ローラ９と現像装置１０とクリーニング装置１１とはユニット化してケース２２内に収納され、プロセスカートリッジ２３（２３Ｙ、２３Ｃ、２３Ｍ、２３Ｋ）が形成されている。各プロセスカートリッジ２３は本体ケース２内に着脱可能に装着されている。感光体８と帯電ローラ９と現像装置１０とクリーニング装置１１とがプロセスカートリッジ２３としてユニット化されることにより、交換やメンテナンスの作業が容易になり、また、各部材間の位置精度を高精度の維持することができ、形成される画像品質の向上を図ることができる。なお、本実施の形態では、感光体８と帯電ローラ９と現像装置１０とクリーニング装置１１とはユニット化したプロセスカートリッジ２３を例に挙げて説明したが、プロセスカートリッジの構成としては様々のものがあり、例えば、帯電ローラ９、現像装置１０、クリーニング装置１１の少なくとも一つと感光体８とをケース内に収納してユニット化したものが挙げられる。
【００４９】
図２は、本体ケース２に設けられている側面カバー２４を開放した状態を示す斜視図である。側面カバー２４を開放することにより、プリンタエンジン３と廃トナー回収容器７とが現われ、プロセスカートリッジ２３や中間転写ベルト１３及び廃トナー回収容器７の交換等やその他のメンテナンスを行うことができる。中間転写ベルト１３とローラ１６、１７、１８とクリーニング装置１５とは、ベルトケース１３ａ内に収納されてユニット化されている。
【００５０】
図３に本発明に係るクリーニング装置の一実施例の断面図を示す。
図３の装置では、感光体８回転上流から転写残トナー等を搬送する回収コイル３２、感光体８上に付着した転写残トナー等を除去するクリーニングブレード３１、固形潤滑剤３４を削り感光体８に付着させるブラシローラ３３、帯電ローラ９、帯電クリーナローラ３７、を備えたプロセスカートリッジを示す。クリーニングブレード３１からのトナー飛散を防止するため、クリーニングブレードホルダ４３とフレーム４２の間に発泡部材４０とシート部材４１を使用している。発泡部材４０とクリーニングブレードホルダ４３は接触しない構成としているため、発泡部材４０の厚みバラツキの影響を受け難くなっている。シート部材４１は、弾性体であり、シート部材４１自体によるクリーニングブレードホルダ４３への当接圧を低減でき、密着性が良いため、シール性が向上している。したがって、トナー飛散を防止するシールとして、発泡体部材とシート状部材の２種類を使用することで信頼性を向上させ、安定した品質を長期に渡り維持することができる。
【実施例２】
【００５１】
図４に本発明に係るクリーニング装置の他の実施例の断面図を示す。
図４の装置では、感光体８回転上流から転写残トナー等を搬送する回収コイル３２、感光体８上に付着した転写残トナー等を除去するクリーニングブレード３１、固形潤滑剤３４を削り感光体８に付着させるブラシローラ３３、付着した潤滑剤粉を感光体８に定着させる塗布ブレード３９、帯電ローラ９、帯電クリーナローラ３７を備えたプロセスカートリッジを示している。塗布ブレード３９からのトナー飛散を防止するため、塗布ブレードホルダ４４とフレーム４２の間に発泡部材４０とシート部材４１を使用している。発泡部材４０と塗布ブレードホルダ４３は接触しない構成としているため、発泡部材４０の厚みバラツキの影響を受け難くなっている。シート部材４１は、弾性体であり、シート部材４１自体による塗布ブレードホルダ４３への当接圧を低減でき、密着性が良いため、シール性が向上している。したがって、トナー飛散を防止するシールとして、発泡体部材とシート状部材の２種類を使用することで信頼性を向上させ、安定した品質を長期に渡り維持することができる。
【００５２】
なおいずれの実施例においても、図３、図４からわかるように、ブレード支持部材であるクリーニングブレードホルダ４３とフレーム４２との間にシート部材４１を挟んだだけでも、本発明の目的、効果を奏し得ることがわかる。
【００５３】
また発泡部材４０がブレード支持部材であるクリーニングブレードホルダ４３とフレーム４２との間に挟持されず、クリーニングブレード３１とフレーム４２との間に挟持されるようにしてもよい。図３、４に示す実施例はこの形態であるが、クリーニングブレード３１とクリーニングブレードホルダ４３とが剛体による構成であれば、どちらの形態を採用しても、達成できる目的、効果に相違はほとんど無いことがわかる。
【００５４】
なお上述の実施例では発泡部材４０はフレーム４２に固定してあるが、発泡部材４０はシート部材４１に固定してもよい。この場合、たとえば図５に示すように、シート部材４１の先端に発泡部材４０をかぶせたかごのような構成とすることが望ましいであろう。この例では、発泡部材４０とシート部材４１は、クリーニングブレード３１とフレーム４２との間で挟持されない図示のような形態となればシール機能を発揮できる。さらに図６に示すように、発泡部材４０をクリーニングブレード３１側に固定してもよい。
【００５５】
さらに、図４（Ｂ）に示すように、ブレードホルダ４３の固定部（たとえばフレーム４２へのネジ止めする端部：図中矢印Ｆで示す部位でねじ止めするとよい。）にはシート部材４１が存在せず（ブレードホルダ４３の固定部が設けられる端部はシート部材４１を設けず、フレーム４２へのシート部材４１の固定部と、発泡部材４０を設けるシート部材４１の先端側の部位間のみに、すなわち、シート部材４１を固定する部位のみに設けるという構成でもよいことはもちろんである。
【符号の説明】
【００５６】
１：カラープリンタ
２：本体ケース
３：プリンタエンジン
４：光書込装置
５：給紙カセット
６：定着装置
７：廃トナー回収容器
８（８Ｙ、８Ｃ、８Ｍ、８Ｋ）：感光体
９：帯電ローラ
１０：現像装置
１１：クリーニング装置
１２：一次転写ローラ
１３：中間転写ベルト
１３ａ：ベルトケース
１４：二次転写ローラ
１５：クリーニング装置
１６：駆動ローラ
１７：入口ローラ
１８：テンションローラ
１９：搬送ローラ
２０：レジストローラ
２１：排紙トレイ
２２：ケース
２３：プロセスカートリッジ（２３Ｙ、２３Ｃ、２３Ｍ、２３Ｋ）
２４：側面カバー
３１：クリーニングブレード
３２：回収コイル
３３：ブラシローラ
３４：固形潤滑剤
３７：帯電クリーナローラ
３９：塗布ブレード
４０：発泡部材
４１：シート部材
４２：フレーム
４３：クリーニングブレードホルダ
４４：塗布ブレードホルダ
Ｐ：記録媒体
【先行技術文献】
【特許文献】
【００５７】
【特許文献１】特開平１１−３０５６１９号公報
【特許文献２】特開平７−９２８７４号公報
【図１】
2011059200.tif 000003
【図２】
2011059200.tif 000004
【図３】
2011059200.tif 000005
【図４】
2011059200.tif 000006
【図５】
2011059200.tif 000007
【図６】
2011059200.tif 000008